(57)【要約】      （修正有）【課題】閉じたときに面一にでき、且つ開閉操作がスムーズに行える建具の提供。【解決手段】他方のパネル２は、閉めたときに一方のパネル１と面一になり、開けたときに一方のパネル１の前側又は後側に重なるものであり、戸先部の上部に設けた戸先ガイド部材３と、戸尻部の上部及び下部に設けた戸尻ガイド部材４を有し、レールは、戸先ガイド部材３を案内する戸先案内レール６と戸尻ガイド部材４を案内する戸尻案内レール７とからなり、戸先案内レール６は、他方のパネル２を閉めたときの戸先ガイド部材３の位置と他方のパネル２を開けたときの戸先ガイド部材３の位置とにわたって直線状に且つ左右方向に対して傾けて設けてあり、戸尻案内レール７は、左右方向に沿ってのびるストレート部７ａと、ストレート部の端部より連続し、前後方向に湾曲した湾曲部７ｂと、湾曲部の先端部より左右方向に延出した延出部７ｃを有する。【選択図】図１
2014136874.tif 000002
【特許請求の範囲】
【請求項１】
一方のパネルと他方のパネルとレールとを備え、他方のパネルは、閉めたときに一方のパネルと面一になり、開けたときに一方のパネルの前側又は後側に重なるものであり、戸先部の上部に設けた戸先ガイド部材と、戸尻部の上部及び下部に設けた戸尻ガイド部材を有し、各ガイド部材は垂直軸回りに回転するローラーで構成してあり、レールは、戸先ガイド部材を案内する戸先案内レールと戸尻ガイド部材を案内する戸尻案内レールとからなり、戸先案内レールは、他方のパネルを閉めたときの戸先ガイド部材の位置と他方のパネルを開けたときの戸先ガイド部材の位置とにわたって直線状に且つ左右方向に対して傾けて設けてあり、戸尻案内レールは、左右方向に沿ってのびるストレート部と、ストレート部の端部より連続し、前後方向に湾曲した湾曲部と、湾曲部の先端部より左右方向に延出した延出部を有することを特徴とする建具。
【発明の詳細な説明】
【技術分野】
【０００１】
本発明は、閉じたときに一方のパネルと他方のパネルとが面一になる建具に関する。
【背景技術】
【０００２】
門扉等に用いられる従来の片引き引戸は、固定障子や塀等の袖ＦＩＸ部の内観側に引戸を引き込むために、引戸を案内するレールが袖ＦＩＸ部の内観側にずらして設けてあり、引戸を閉じたときに引戸と袖ＦＩＸ部とが面一にならない。
特許文献１には、閉じたときに一対の引戸１０，１０が面一になる引戸装置が開示されている。この引戸装置の引戸１０は、上部の戸先側と戸尻側とに一対のガイド１２，１２を有し、下部の戸先側と戸尻側とに一対のローラ１３，１３を有しており、前記ガイドとローラを案内する上下一対の案内部材２０，２０は、戸先側の端部付近に引戸を面外方向に移行させるための湾曲したガイド溝２１ａを有しており、引戸１０の開閉時にガイド１２とローラ１３がガイド溝２１ａを通過することで、引戸１０が面外方向に移動する。
【０００３】
上記特許文献１記載の引戸装置では、引戸が閉まり切る直前の比較的狭い範囲で引戸が面外方向に移動するため、このときに引戸の開閉操作に違和感があり、且つ開閉操作が重く感じられることとなっていた。また、引戸１０の下側にもレール（案内部材２０）を設けているため、レールが通行の妨げとなったり、レールにゴミが溜まったりする不都合がある。
【先行技術文献】
【特許文献】
【０００４】
【特許文献１】特公平８−２３２４５号公報
【発明の概要】
【発明が解決しようとする課題】
【０００５】
本発明は以上に述べた実情に鑑み、閉じたときに面一にでき、且つ開閉操作がスムーズに行える建具の提供を目的とする。
【課題を解決するための手段】
【０００６】
上記の課題を達成するために請求項１記載の発明による建具は、一方のパネルと他方のパネルとレールとを備え、他方のパネルは、閉めたときに一方のパネルと面一になり、開けたときに一方のパネルの前側又は後側に重なるものであり、戸先部の上部に設けた戸先ガイド部材と、戸尻部の上部及び下部に設けた戸尻ガイド部材を有し、各ガイド部材は垂直軸回りに回転するローラーで構成してあり、レールは、戸先ガイド部材を案内する戸先案内レールと戸尻ガイド部材を案内する戸尻案内レールとからなり、戸先案内レールは、他方のパネルを閉めたときの戸先ガイド部材の位置と他方のパネルを開けたときの戸先ガイド部材の位置とにわたって直線状に且つ左右方向に対して傾けて設けてあり、戸尻案内レールは、左右方向に沿ってのびるストレート部と、ストレート部の端部より連続し、前後方向に湾曲した湾曲部と、湾曲部の先端部より左右方向に延出した延出部を有することを特徴とする。
【発明の効果】
【０００７】
請求項１記載の発明による建具は、他方のパネルを閉めたときに一方のパネルと面一になり、しかも他方のパネルの戸先部に設けた戸先ガイド部材を案内する戸先案内レールが、他方のパネルを閉めたときの戸先ガイド部材の位置と他方のパネルを開けたときの戸先ガイド部材の位置とにわたって直線状に且つ左右方向に対して傾けて設けてあることで、他方のパネルのスライドする行程全体で戸先側が面外方向に漸次移動するため、他方のパネルを通常の引戸と同様に一定の力でスムーズに開閉できる。また、戸先案内レールをこのように設けることで、他方のパネルの開閉時における戸先側のばたつきが抑えられるため、戸先ガイド部材と戸先案内レールを他方のパネルの下側に設ける必要がなく、開口部の間口をノンレールとすることができ、レールが通行の妨げになったり、レールにゴミが溜まったりする不都合がない。さらに本発明の建具は、他方のパネルの戸尻部の上部及び下部に戸尻ガイド部材を設け、戸尻ガイド部材を戸尻案内レールで案内しているため、戸尻側もぶれることなく左右方向及び面外方向にスムーズに移動させられる。しかも、戸尻案内レールは、湾曲部の先端部より左右方向に延出した延出部を有することで、他方のパネルの戸当たりの位置に誤差があっても、延出部でその誤差を吸収できるため、閉鎖時に他方のパネルが面外方向にずれるのを防止できる。各ガイド部材を垂直軸回りに回転するローラーで構成したことで、ガイド部材の構造を単純化すると共にコンパクトにでき、レールの寸法も小さくできる。
【図面の簡単な説明】
【０００８】
【図１】図６のＡ−Ａ断面図である。
【図２】図６のＢ−Ｂ断面図である。
【図３】図６のＣ−Ｃ断面図である。
【図４】図６のＤ−Ｄ断面図である。
【図５】図６のＥ−Ｅ断面図である。
【図６】本発明の建具の一実施形態を示す図であって、（ａ）は平面図、（ｂ）は正面図、（ｃ）は側面図である。
【図７】（ａ）は同建具に用いられる引戸の平面図、（ｂ）は同側面図、（ｃ）は同正面図である。
【図８】同建具の引戸を開いた状態の正面図である。
【図９】図８のＦ−Ｆ断面図である。
【図１０】図８のＧ−Ｇ断面図である。
【図１１】図８のＨ−Ｈ断面図である。
【図１２】引戸の動きを示す平面図であって、（ａ）は引戸を閉めた状態、（ｂ）は引戸を途中まで開けた状態、（ｃ）は引戸を全開にした状態を示す。
【図１３】引戸を閉めるときの戸先部の軌跡を示す平面図である。
【図１４】引戸の閉鎖時の状態を示す平面図であって、（ａ）は戸当たり側の柱が正常な位置にある場合、（ｂ）は同柱が施工誤差等により右側に移動した場合を示している。
【図１５】比較例として戸尻案内レールに延出部がない場合における引戸の閉鎖時の平面図であって、（ａ）は戸当たり側の柱が正常な位置にある場合、（ｂ）は同柱が施工誤差等により右側に移動した場合を示している。
【図１６】（ａ）は戸先ガイド部材の周辺を拡大して示す平面図、（ｂ）はＩ−Ｉ断面図である。
【図１７】本発明の建具の他の実施形態を示す正面図である。
【発明を実施するための形態】
【０００９】
以下、本発明の実施の形態を図面に基づいて説明する。図１〜１１は、本発明の建具の一実施形態であって、道路と敷地の境界部に設置される門扉に適用した例を示している。この門扉は、図６に示すように、左右の柱９ａ，９ｂの上端部に桁１０を架設し、中央に間柱１１が設けてあり、左側の柱９ａと間柱１１間に固定パネル１が取付けられ、右側の柱９ｂと間柱１１との間を上吊りの引戸２により開閉自在としている。本門扉は、引戸２を閉めたときには、図１，２に示すように、引戸２と固定パネル１とが面一になり、引戸２を全開にしたときには、図９，１０に示すように、引戸２が固定パネル１の後側（敷地側）に重なるものである。図３，６に示すように、右側の柱９ｂと間柱１１間の地面４８にはレールがなく、引戸２の下端と地面４８との間には８０ｍｍの空間１２が形成されている。
【００１０】
引戸２は、図６，７に示すように、上框１３と下框１４と戸先框１５と戸尻框１６とを四周框組みし、上框１３と下框１４間に格子材１７を多数架設して構成されている。戸先框１５には、取手１８と錠１９が設けてある。引戸２は、戸先側の上部に戸先ガイド部材３が設けてあり、戸尻側の上部及び下部に戸尻ガイド部材４，５が設けてある。
戸先ガイド部材３は、戸先框１５の上端部に取付けられる小口キャップ２０と一体に設けてある。小口キャップ２０は、図１６に示すように、戸先框１５上端の小口に当接すると共に上框１３の上面にまでのびており、戸先框１５の上端と上框１３の上面とにネジ２１ａ，２１ｂで固定してある。さらに小口キャップ２０は、戸先框１５の中空部内に挿入される挿入部２２を有しており、戸先側から挿入したネジ２１ｃを、挿入部２２を貫通させて上框１３のタッピングホールにねじ込んでいる。このように、小口キャップ２０を介して戸先框１５と上框１３とが強固に接合されている。小口キャップ２０には垂直軸２３が上方に突出して設けてあり、垂直軸２３の先端部にはローラー２４がベアリング２５を介して垂直軸２３回りに回転自在に設けてある。ローラー２４の下方の垂直軸２３の周りには、補助ローラー２６が設けてある。ローラー２４は、戸先框１５の真上に位置している。
図７に示すように、戸先框１５の下端部にも上端部と同様の小口キャップ２７が取付けられ、小口キャップ２７を介して戸先框１５と下框１４とを強固に接合している。下端部の小口キャップ２７には、戸先ガイド部材３は設けられていない。
戸尻側上部の戸尻ガイド部材４は、戸先側上部と同様に、戸尻框１６の上端部に取付けられる小口キャップ２８と一体に設けてあり、小口キャップ２８を介して戸尻框１６と上框１３とが強固に接合され、小口キャップ２８より垂直軸２９が突出して設けられ、垂直軸２９にローラー３０と補助ローラー２６が回転自在に設けてある。
戸尻框１６の下端部にも小口キャップ３１が同様に設けられ、小口キャップ３１を介して戸尻框１６と下框１４とを強固に接合している。小口キャップ３１には、戸尻ガイド部材５を取付けるためのＬ形のブラケット３２が下方に突出して設けてあり、ブラケット３２に戸尻ガイド部材５がネジ３３で着脱自在に取付けてある。戸尻ガイド部材５は、垂直軸３４にローラー３５を回転自在に取付けたものであり、ローラー３５は上部のガイド部材３，４のローラー２４，３０よりも小径で、戸尻框１６の下方の前寄りの位置に配置されている。ネジ３３の挿通孔は前後方向の長孔となっており、戸尻ガイド部材５の取付位置を前後方向に調節できるようになっている。
【００１１】
固定パネル１は、図５，６に示すように、上框３６と下框３７と左右の竪框３８，３８を框組みし、上下框３６，３７間に格子材３９を架設して構成され、左右の竪框３８，３８は左側の柱９ａと間柱１１とにそれぞれ固定してある。
【００１２】
桁１０は、図１，３〜５に示すように、柱９ａ，９ｂよりも後方に張り出しており、下面側に下向きに開口した溝部４０が形成されており、溝部４０内に戸先ガイド部材３を案内する戸先案内レール６と戸尻ガイド部材４を案内する戸尻案内レール７とが設けてある。
戸先案内レール６は、アルミニウム合金の押出形材で溝形に形成したものであり、図３に示すように、後側の壁６ａに戸先ガイド部材３のローラー２４の掛かり部６ｂが形成され、下部に補助ローラー２６のガイド部６ｃが形成されており、前側の壁６ｄにはローラー２４が当たらないようにしている。掛かり部６ｂは、上面が内側に向かって下向きに傾斜している。よって、ローラー２４は掛かり部６ｂに接触しながら垂直軸２３回りに回転し、引戸２の戸先部が戸先案内レール６に沿ってスムーズに案内される。補助ローラー２６が戸先案内レール６のガイド部６ｃにガイドされていることで、引戸２の戸先部が面外方向に振れるのを抑制できると共に、摺動性が高められる。戸先案内レール６は、図１，９に示すように、引戸２を閉めたときの戸先ガイド部材３のローラー２４の位置と、引戸２を全開にしたときの戸先ガイド部材３のローラー２４の位置とにわたって、直線状に且つ左右方向に対して傾けて設けてある。
【００１３】
戸尻案内レール７は、図１，９に示すように、左右方向に沿ってのびるストレート部７ａと、ストレート部７ａの右側の端部と連続し、前方に向けて湾曲した湾曲部７ｂと、湾曲部７ｂの先端部より左右方向に延出した延出部７ｃとを有している。ストレート部７ａは、図４に示すように、戸先案内レール６と同じアルミニウム合金の押出形材で形成されており、湾曲部７ｂ及び延出部７ｃは樹脂で形成してある。延出部７ｃの長さは２〜３ｃｍ程度である。
【００１４】
左側の柱９ａと間柱１１間の下部には、図２，４，５に示すように、固定パネル１の下方に隣接して下レール４１が設けてある。下レール４１と地面４８との間には、空間４２が形成されている。下レール４１は、長手方向の端部が左側の柱９ａと間柱１１とに固定され、長手方向の中間部を束４９で支持してある。下レール４１は、上面がフラットになっており、後側に引戸２の戸尻側下部の戸尻ガイド部材５のローラー３５が案内される戸尻案内レール８が、下向きに開口した溝状に形成されている。戸尻案内レール８は、上側の戸尻案内レール７と同様に、左右方向に沿ってのびるストレート部８ａと、ストレート部８ａの右側の端部と連続し、前方に向けて湾曲した湾曲部８ｂと、湾曲部８ｂの先端部より左右方向に延出した延出部８ｃとを有している。ストレート部８ａは、アルミニウム合金の押出形材で下レール４１と一体で形成されており、湾曲部８ｂ及び延出部８ｃはステンレスで形成してある。下レール４１は、図１０，１１に示すように、引戸２を開けたときに引戸２の下方に位置する。
【００１５】
間柱１１は、図１，２に示すように、前側の壁１１ａはフラットで、後側の壁１１ｂは戸尻案内レール７，８の湾曲部７ｂ，８ｂに沿うように斜めに形成されている。右側の柱９ｂの内周側の側面には、引戸２の戸先が当接する戸当たり４３が取付けてある。
【００１６】
引戸２を門扉に建て込む際には、戸尻側下部の戸尻ガイド部材５を取外した状態で、戸先側上部の戸先ガイド部材３のローラー２４と、戸尻側上部の戸尻ガイド部材４のローラー３０とを、桁１０の下面に取付けられた戸先案内レール６と戸尻案内レール７とに左側の小口からそれぞれ挿入し、各ローラー２４，３０をレール６，７内の掛かり部６ｂに引っ掛ける。その後、各レール６，７の小口は小口キャップを取付けて塞がれ、ローラー２４，３０がレール６，７の小口から抜けることがない。その後、戸尻側下部の小口キャップ３１に戸尻ガイド部材５を戸尻案内レール８と係合させて取付ける。このとき、引戸２が垂直になるように戸尻ガイド部材５の前後位置を調整する。
【００１７】
次に、引戸２の動きについて説明する。引戸２を閉めた状態では、図１２（ａ）に示すように、引戸２は固定パネル１と面一になっており、このとき戸先ガイド部材３のローラー２４は戸先案内レール６の右側の端部に位置しており、戸尻ガイド部材４，５のローラー３０，３５は戸尻案内レール７，８の延出部７ｃ，８ｃに位置している。引戸２を開けるために取手１８に手を掛けて左方向に押すと、図１２（ｂ）に示すように、戸尻ガイド部材４，５のローラー３０，３５が戸尻案内レール７，８の湾曲部７ｂ，８ｂを通過することで、引戸２の戸尻側が固定パネル１の後方に持ち出される。さらに取手１８を左方向に押すと、図１２（ｃ）に示すように、戸尻側ガイド部材４，５のローラー３０，３５が戸尻案内レール７，８のストレート部７ａ，８ａに案内されることで、引戸２の戸尻側が固定パネル１と平行に移動し、引戸２の戸先側は戸先案内レール６が直線状に後側に傾斜して設けてあるために、左方向に移動するにつれて徐々に後側に移動し、戸先が間柱１１の後方まで移動した全開状態では、引戸２は固定パネル１と平行になる。このように、戸先案内レール６が直線状に且つ傾斜して設けてあることで、引戸２の戸先側が引戸２のスライドする行程全体で面外方向に漸次移動するため、引戸２を通常の引戸と同様に一定の力でスムーズに開けることができる。引戸２を閉める際も、開けるときと同様に一定の力でスムーズに閉めることができる。
【００１８】
引戸２の戸先框１５の上下方向の中間位置には、図１３に示すように、先端側が細くなるようにテーパー部４４ａが設けられた戸当たりガイド部材４４が戸先側に突出して設けてあり、戸当たり４３には戸当たりガイド部材４４を受ける戸当たりガイド受け４５が設けてある。戸当たりガイド受け４５は、前側と後側に円弧状のガイド壁４５ａを設け、入り口側が広がった溝状に形成されている。引戸２を閉める際、引戸２の戸先が前方又は後方に振れていても、戸当たりガイド部材４４が戸当たりガイド受け４５のガイド壁４５ａに当接することで、戸先を正常な位置へと誘導する。これにより、戸先が前後にずれるのを防止し、錠１９を正常に掛けることができる。
【００１９】
図１５に示すように、仮に戸尻案内レール７，８の湾曲部７ｂ，８ｂの先端部に左右方向に延出する延出部７ｃ，８ｃがない場合、戸当たり側の柱９ｂが施工誤差等により正規の位置（図１５（ａ））に対して左右にずれていると（図１５（ｂ））、引戸２を閉めたときに引戸２の戸尻側が正規の位置よりも前後にずれ、引戸２が傾いた状態になる。
本門扉では、戸尻案内レール７，８に湾曲部７ｂ，８ｂの先端部より左右方向に延出した延出部７ｃ，８ｃを有していることで、図１４に示すように、戸当たり側の柱９ｂが施工誤差等により正規の位置（図１４（ａ））に対して左右にずれていても（図１４（ｂ））、延出部７ｃ，８ｃでその誤差を吸収できるため、引戸２を閉めたときに引戸２の戸尻側が前後にずれることがなく、常に引戸２を固定パネル１と正確に面一にできる。
【００２０】
以上に述べたように本門扉は、引戸２を閉めたときに固定パネル１と面一になり、しかも引戸２の戸先部に設けた戸先ガイド部材３を案内する戸先案内レール６が、引戸２を閉めたときの戸先ガイド部材３の位置と引戸２を開けたときの戸先ガイド部材３の位置とにわたって直線状に且つ左右方向に対して傾けて設けてあることで、引戸２のスライドする行程全体で戸先側が面外方向に漸次移動するため、引戸２を通常の引戸と同様に一定の力でスムーズに開閉できる。また、戸先案内レール６をこのように設けることで、引戸２の開閉時における戸先側のばたつきが抑えられるため、戸先ガイド部材３と戸先案内レール６を引戸２の下側に設ける必要がなく、開口部の間口をノンレールとすることができ、レールが通行の妨げになったり、レールにゴミが溜まったりする不都合がない。さらに、戸先案内レール６を直線状に左右方向に対して傾けて設けたことで、引戸２を閉めるときに引戸２の戸先が戸当たり４３に左右方向にほぼ真っ直ぐ入るため、戸当たりガイド部材４４や戸当たりガイド受け４５、錠１９などは、従来の片引戸と同じものを使用することができ、これによりコストを抑えられる。
さらに本門扉は、引戸２の戸尻部の上部及び下部に戸尻ガイド部材４，５を設け、戸尻ガイド部材４，５を戸尻案内レール７，８で案内しているため、戸尻側もぶれることなく左右方向及び面外方向にスムーズに移動させられる。しかも、戸尻案内レール７，８は、湾曲部７ｂ，８ｂの先端部より左右方向に延出した延出部７ｃ，８ｃを有することで、戸当たり４３の位置に左右方向の誤差があっても、延出部７ｃ，８ｃでその誤差を吸収できるため、閉鎖時に引戸２が面外方向にずれるのを防止できる。
引戸２上部のガイド部材３，４を垂直軸２３，２９回りに回転するローラー２４，３０と補助ローラー２６で構成したことで、摺動性を確保しつつガイド部材３，４の構造を単純化すると共にコンパクトにでき、レール６，７の上下寸法も小さくできるので、桁１１の下面側の溝部４０内にレール６，７を収納して設置するのが容易である。各ガイド部材３，４，５を、戸先框１５及び戸尻框１６の端部に取付けられる小口キャップ２０，２８，３１と一体化して設けたので、引戸２を框組みするのと同時にガイド部材３，４，５の設置が完了し、後からガイド部材を設置する手間を省くことができる。小口キャップ２０，２７，２８，３１を介して戸先框１５と上下框１３，１４、戸尻框１６と上下框１３，１４とを強固に接合しているので、引戸２の堅牢性が高い。
下レール４１は、戸尻案内レール８を下向きに開口した溝状に設けたので、戸尻案内レール８にゴミや水が溜まることがない。下レール４１は、地面４８から浮かせて設置してあるため、地面４８に下レール４１を敷設する手間が要らず、また地面４８の状態にかかわらず下レール４１を設置できるので、施工性が良い。
【００２１】
図１７は、本発明の建具の他の実施形態を示している。この実施形態も門扉に適用したもので、引戸２及び固定パネル１が先の実施形態と異なっている。引戸２は、戸先框１５と戸尻框１６間に横桟４６を上下方向に間隔をおいて架設し、上下框１３，１４と横桟４６の間と横桟４６間とに透光性パネル４７を取付けている。固定パネル１も引戸２と同様に、竪框３８，３８間に横桟４６を上下方向に間隔をおいて架設し、上下框３６，３７と横桟４６の間と横桟４６間とに透光性パネル４７を取付けている。
【００２２】
本発明は以上に述べた実施形態に限定されない。一方のパネル（固定パネル１）を複数設け、その間に他方のパネル（引戸２）を設けたものであってもよい。一方のパネル及び他方のパネルは、いかなる構造のものでもよく、例えば一方のパネルはコンクリート壁等で形成された塀等であってもよい。建具の用途、設置場所等は任意であり、門扉に限らず様々な出入口等に利用することができる。
【符号の説明】
【００２３】
１  固定パネル（一方のパネル）
２  引戸（他方のパネル）
３  戸先ガイド部材
４  戸尻ガイド部材（上）
５  戸尻ガイド部材（下）
６  戸先案内レール
７  戸尻案内レール（上）
７ａ  ストレート部
７ｂ  湾曲部
７ｃ  延出部
８  戸尻案内レール（下）
８ａ  ストレート部
８ｂ  湾曲部
８ｃ  延出部
２３，２９，３４  垂直軸
２４，３０，３５  ローラー
【図１】
2014136874.tif 000003
【図２】
2014136874.tif 000004
【図３】
2014136874.tif 000005
【図４】
2014136874.tif 000006
【図５】
2014136874.tif 000007
【図６】
2014136874.tif 000008
【図７】
2014136874.tif 000009
【図８】
2014136874.tif 000010
【図９】
2014136874.tif 000011
【図１０】
2014136874.tif 000012
【図１１】
2014136874.tif 000013
【図１２】
2014136874.tif 000014
【図１３】
2014136874.tif 000015
【図１４】
2014136874.tif 000016
【図１５】
2014136874.tif 000017
【図１６】
2014136874.tif 000018
【図１７】
2014136874.tif 000019